(57)【要約】【課題】  遊技装置の操作装置に関し、操作ノブを一定のサイクルで操作した場合であっても、操作信号が一定のサイクルとはならないようにすることを課題とする。【解決手段】  操作ノブ２１ａが傾動したことを赤外光の反射を利用して光学的に検出する光学的傾動検出機構２００と、操作ごとに被検出部材である筒状体３０をステップ的に回動させる筒状体ステップ回動機構２５０とを有する。筒状体ステップ回動機構２５０は受けクラウンギヤ２５５と筒状体側クラウンギヤ２６０とを有する。筒状体３０の端の環状面３０ｃは内側円が偏芯している。【選択図】  図２
2006223368.tif 000002
【特許請求の範囲】
【請求項１】
操作部材が傾動可能に支持してあり、該操作部材の先端の被検出部材と、該被検出部材に対向して配置してあり、該被検出部材を検出して該操作部材が傾動操作されたことを検出する光学的検出部とを有し、
該光学的検出部が、繰り返しなされる該操作部材の傾動操作に応じた操作信号を出力する構成の操作装置であって、
該操作部材を傾動操作する毎に前記被検出部材をステップ回動させる被検出部材ステップ回動機構を備えてなり、
前記被検出部材は、回動することによって前記光学的検出部に対する状態が変化する形状であり、
操作信号が出力されるときの操作部材の動作開始ストロークが、操作部材を傾動操作する都度に変化する構成としたことを特徴とする操作装置。
【請求項２】
請求項１記載の操作装置において、
前記被検出部材ステップ回動機構は、
回動不可能である受けクラウンギヤと、
前記被検出部材側に該被検出部材と一体的に回動可能に設けてあり、前記クラウンギヤ受けクラウンギヤと噛み合う外周側クラウンギヤ部と、この内側の内周側クラウンギヤ部とを有する被検出部材側クラウンギヤと、
該被検出部材側クラウンギヤを前記受けクラウンギヤ側に付勢するばね部材と、
該操作部材を傾動操作したときに該内周側のクラウンギヤ部に噛み合ってこれを押し上げるプッシュ爪とよりなり、
該操作部材を傾動操作したときに、該プッシュ爪が該内周側クラウンギヤ部を押し上げ、この過程で、前記外周側クラウンギヤ部がその歯の山が前記受けクラウンギヤの隣の山を越える状態まで回動され、
該操作部材が復帰するときに、前記ばね部材によって前記外周側クラウンギヤ部の上記歯の山が前記受けクラウンギヤの今まで噛み合っていた谷の隣の谷に噛み合い、この過程で、前記外周側クラウンギヤ部が該操作部材を傾動操作したときの回動の方向と同じ方向に回動され、
操作部材が傾動されるときと復帰するときとで、前記被検出部材側クラウンギヤが前記外周側クラウンギヤ部の一ピッチ分回動される構成であることを特徴とする操作装置。
【請求項３】
請求項１記載の操作装置において、
前記光学的検出部は、前記被検出部材からの反射光を検出する構成であり、
前記被検出部材は、前記光学的検出部に対向する環状反射面の内側縁が該操作部材の軸心に対して偏芯している円であることを特徴とする操作装置。
【請求項４】
請求項１記載の操作装置において、
前記光学的検出部は、発光素子と受光素子とが対向して配置してある構成であり、
前記被検出部材は、断面が長方形である形状を有する遮蔽板であることを特徴とする操作装置。
【請求項５】
操作部材が傾動可能に支持してあり、該操作部材の先端の被検出部材と、該被検出部材に対向して配置してあり、該被検出部材を検出して該操作部材が傾動操作されたことを検出する光学的検出部とを有し、
該光学的検出部が、繰り返しなされる該操作部材の傾動操作に応じた操作信号を出力する構成の操作装置であって、
前記操作部材の先端にばね部材を有し、該ばね部材の先端に前記被検出部材が取り付けてある構成としたことを特徴とする操作装置。
【請求項６】
操作部材が傾動可能に支持してあり、該操作部材の先端の被検出部材と、該被検出部材に対向して配置してあり、該被検出部材を検出して該操作部材が傾動操作されたことを検出する光学的検出部とを有し、
該光学的検出部が、繰り返しなされる該操作部材の傾動操作に応じた操作信号を出力する構成の操作装置であって、
該光学的検出部に、ＣＲ積分回路及びヒステリシスを有するコンパレータが直列に接続してあり、該コンパレータから前記操作信号が出力される構成としたことを特徴とする操作装置。
【発明の詳細な説明】
【技術分野】
【０００１】
本発明は操作装置に係り、特に、娯楽場に設置される遊技機械の操作パネル部に設けてある操作装置に関する。
【背景技術】
【０００２】
従来の遊技機械の操作装置は、一端が端板部によって塞がれている円筒形状の本体に、操作レバーが傾動可能に支持してあり、本体の端板部の内側に、赤外線発光素子と受光素子とを備えた発光・受光素子ユニットが設けてあり、発光・受光素子ユニットが操作レバーの先端部に対向しており、操作レバーが傾動操作されたこと及び操作レバーが元の状態に復帰したことを受光素子の赤外線の受光状況に応じて認識し、操作レバーが所定の傾動位置まで傾動したときに操作信号が発せられる構成である。
【０００３】
従来の操作装置は、操作信号が発せられるときの操作レバーの傾動位置（動作開始ストローク）が固定である構成である。このため、この操作装置は、例えば不正を目的として特殊な機器を使用して操作レバーが意図的に一定のサイクル（リズム）で操作した場合には、操作信号も一定のサイクルとなって、入賞が起きることになり、不正操作が可能である構成であった。
【０００４】
また、操作レバーの先端の非反射部を非円形とし、操作レバーのボール状のノブを叩くように操作をした場合に操作レバーがその軸線に関して少しの角度回動することがおき易いことを利用して、操作レバーが意図的に一定のサイクル（リズム）で操作した場合であっても操作信号は一定のサイクルからずれるようにした操作装置も提案されている。
【特許文献１】特開２００５−１３６４６号公報
【発明の開示】
【発明が解決しようとする課題】
【０００５】
しかし、操作レバーの回動は遊技者によるノブの操作方向が操作レバーの軸心を必ずしも通らないことを利用しているものであり、ノブの操作方向が操作レバーの軸心を通る方向である場合には、操作レバーは回動せず、操作信号のサイクルを乱すことは出来なくなる。よって、上記の操作装置は目的とする動作の達成の確実性が十分ではなかった。即ち、この操作装置は、例えば不正を目的として特殊な機器を使用しノブの操作方向を操作レバーの軸心を通る方向に定めた場合には、操作信号は一定のサイクルとなって、入賞が起きることになり、不正操作が可能となってしまう。
【０００６】
そこで、本発明は、上記課題を満たした操作装置を提供することを目的とする。
【課題を解決するための手段】
【０００７】
本発明は、操作部材が傾動可能に支持してあり、該操作部材の先端の被検出部材と、該被検出部材に対向して配置してあり、該被検出部材を検出して該操作部材が傾動操作されたことを検出する光学的検出部とを有し、
該光学的検出部が、繰り返しなされる該操作部材の傾動操作に応じた操作信号を出力する構成の操作装置であって、
該操作部材を傾動操作する毎に前記被検出部材をステップ回動させる被検出部材ステップ回動機構を備えてなり、
前記被検出部材は、回動することによって前記光学的検出部に対する状態が変化する形状であり、
操作信号が出力されるときの操作部材の動作開始ストロークが、操作部材を傾動操作する都度に変化する構成としたことを特徴とする。
【発明の効果】
【０００８】
本発明によれば、被検出部材ステップ回動機構を有することによって、操作方向が操作レバーの軸心を通る方向である場合であっても、操作部材を傾動操作する毎に被検出部材がステップ回動し、例えば不正を目的として特殊な機器を使用しノブの操作方向を操作レバーの軸心を通る方向に定めた場合であっても、操作信号のサイクルが一定とならないように出来る。
【発明を実施するための最良の形態】
【０００９】
次に本発明の実施の形態について説明する。
【実施例１】
【００１０】
図１は本発明の実施例１になる操作装置２０であり、遊技機械１０の操作パネル部１１に後述するねじ部２２ｂに螺合するねじ（図示せず）によって取り付けられる。Ｘは操作パネル部１１の幅方向、Ｚは操作パネル部１１の傾斜している方向、Ｙは操作パネル部１１に対して垂直の方向である。
【００１１】
図２（Ａ）乃至（Ｄ）は操作装置２０の内部の構造を示す。図２（Ｃ）、（Ｄ）は、夫々図２（Ａ）中、Ｃ−Ｃ線及びＤ−Ｄ線に沿う断面図である。図２（Ｅ）は筒状体３０の環状面３０ｃを拡大して示す。図３は操作装置２０を分解して示す図である。図４は筒状体ステップ回動機構２５０を分解して示す斜視図である。図５は操作装置の操作ノブ組立体の先端の部分を発光・受光素子モジュールと併せて示す図である。
【００１２】
操作装置２０は、ボール形状の操作ノブ２１ａが３６０度のどの方向にも傾動可能であるように支持する操作ノブ支持機構１００と、操作された操作ノブ２１ａを元の位置に復帰させる操作ノブ復帰機構１５０と、この操作ノブ２１ａが傾動したことを赤外光の反射を利用して光学的に検出する光学的傾動検出機構２００と、操作ごとに被検出部材である筒状体３０をステップ的に回動させる筒状体ステップ回動機構２５０とを備えた構成である。
【００１３】
操作ノブ２１ａはシャフト２４のＹ２側に固定してある。シャフト２４の中間の部分が本体２２に支持される。シャフト２４のＹ１端には、タップによって雌ねじ部２４ａが形成してある。
【００１４】
［操作ノブ支持機構１００］
先ず、操作ノブ支持機構１００について図２及び図３を参照して説明する。
【００１５】
本体２２は、Ｙ２側に円錐形状の穴２２ａを有し、外周にねじ部２２ｂを有する。円錐形状の穴２２ａのＹ２側の開口２２ｃは円である。穴２２ａの奥部にフランジ部２２ｄ及び開口２２ｅを有する。本体２２のＹ１側にブッシュ受け２３が嵌合してある。
【００１６】
シャフト２４は、そのＹ２側に、カラー２５、ガイド２６、ブッシュ２７を嵌合させた状態で、穴２２ａに挿入してこれを貫通しており、シャフト２４の先端より、ブッシュ受け２３、ばね受け部材２８、圧縮コイルばね２９、ばね受け座２５３、受けクラウンギヤ２５５、筒状体側クラウンギヤ２６０、筒状体３０が嵌合しており、最後に取付けねじ３１が圧縮コイルばね２７０に嵌合させて、雌ねじ部２４ａに螺合してある。取付けねじ３１によって筒状体３０がシャフト２４の先端に支持してある。操作ノブ２１ａ、シャフト２４、カラー２５、ガイド２６、ばね受け部材２８、圧縮コイルばね２９、ばね受け座２５３、受けクラウンギヤ２５５、筒状体側クラウンギヤ２６０、筒状体３０、取付けねじ３１が、操作ノブ組立体２１を構成する。ブッシュ２７が穴２２ａに嵌合して本体２２に固定してある。
【００１７】
操作ノブ２１ａが操作されると、操作ノブ組立体２１は、図６（Ａ），（Ｂ）に示すように、シャフト２４のうちブッシュ２７で支持されている部分がブッシュ２７に対して傾斜されて傾動される。
【００１８】
［操作ノブ復帰機構１５０］
次に、操作ノブ復帰機構１５０について図２及び図３を参照して説明する。
【００１９】
操作ノブ２１ａが操作されると、図６（Ａ），（Ｂ）に示すように、ばね受け部材２８がシャフト２４上をＹ２方向に変位され圧縮コイルばね２９が圧縮される。
【００２０】
操作ノブ２１ａに対する操作を解除すると、図６（Ｃ）に示すように、圧縮コイルばね２９がばね受け部材２８をブッシュ受け２３に押し付ける力によって、シャフト２４はその軸線２４ＣＬがＹ１−Ｙ２軸線に一致した元の姿勢に復帰される。
【００２１】
［光学的傾動検出機構２００］
次に、光学的傾動検出機構２００について主に図５を参照して説明する。
【００２２】
シャフト２４のＹ２端には、光沢のあるメッキが施されている筒状体３０が全体が表面処理されて黒色である取付けねじ３１によって固定してある。
【００２３】
筒状体３０は、Ｙ２側に底板部３０ａを有し、底板部３０ａの中心に取付けねじ３１の軸部３１ａが通る孔３０ｂを有し、Ｙ２側は開口であり環状面３０ｃを有し、内部に取付けねじ３１の頭部が収まる空間３０ｄを有する。
【００２４】
筒状体３０は、取付けねじ３１の軸部３１ａが孔孔３０ｂを通り、シャフト２４のＹ２端の雌ねじ部２４ａにねじ込んで、頭部３１ｂが空間３０ｄ内に収まった状態で、且つ、頭部３１ｂと底板部３０ａの間に圧縮コイルばね２７０が介在した状態で、取付けねじ３１を中心に回動可能に取り付けてある。
【００２５】
圧縮コイルばね２７０が介在していることによって、後述する筒状体側クラウンギヤ２６０がＹ１方向に移動可能である。
【００２６】
操作ノブ組立体２１はＹ１側の端に、反射面と非反射面との組合わせ面６０を有する。筒状体３０の環状面３０ｃが反射面であり、環状面３０ｃより内側の部分が非反射面である。
【００２７】
ここで、空間３０ｄは筒状体３０の軸心３０ｘに対して偏芯して形成してあり、反射面と非反射面との境界は、環状面３０ｃ内側の縁の円３０ｃ１は軸心３０ｘに対して寸法ｅ偏芯している（図２（Ｅ）参照）。
【００２８】
４０は発光・受光素子モジュールであり、直方体形状であり前面に二つの開口４２、４３を有するブロック４１の内部に、赤外線発光素子４４と受光素子４５とが夫々開口４２、４３に臨んで組み込んである構成であり、市販されている一般的な部品である。発光・受光素子モジュール４０は、略円形の基板４６の前面の中央に実装してある。基板４６の後面には、コネクタ４７と発光ダイオード４８とが実装してある。基板４６はキャップ部材４９の内部に組み込んである。
【００２９】
本体２２のＹ１側には筒形状のカバー部材５０が取り付けてあり、圧縮コイルばね２９及び光反射部材３０を囲んでいる。キャップ部材４９がカバー部材５０のＹ１側に取り付けてある。発光・受光素子モジュール４０と組合わせ面６０とがキャップ部材４９とカバー部材５０とによって形成してある空間内で対向している。
【００３０】
図６（Ｃ）に示す操作前の状態では、赤外線発光素子４４から放射されている赤外線７０は環状面３０ｃの内側に当っており、コネクタ４７からはオフ信号が出力されている。
【００３１】
図６（Ａ），（Ｂ）に示すように操作ノブ２１ａを操作し所定ストローク操作されると、環状面３０ｃが赤外線発光素子４４から放射されている赤外線７０の領域に到って、赤外線が環状面３０ｃでもって反射され、受光素子４５が反射を受け、コネクタ４７からの信号がオンとなって図６（Ｄ）に示す操作信号が出力される。操作ノブ２１ａが復帰されると、信号は再度オフとなる。
【００３２】
［筒状体ステップ回動機構２５０］
次に、筒状体ステップ回動機構２５０について主に図４及び図７を参照して説明する。
【００３３】
筒状体ステップ回動機構２５０は、ばね受け部材２８に一体的に形成してある一対のプッシュ爪２５１，２５２と、ばね受け座２５３と、ばね受け部材２８側の受けクラウンギヤ２５５と、筒状体側クラウンギヤ２６０とを有する。受けクラウンギヤ２５５はモジュールＭ１のクラウンギヤ部２５６を有する。筒状体側クラウンギヤ２６０は外周側のクラウンギヤ部２６１と内周側のクラウンギヤ部２６２とを同心円に有する。外周側のクラウンギヤ部２６１の径はＤ１，内周側のクラウンギヤ部２６２径はＤ２である。Ｄ１＞Ｄ２である。外周側クラウンギヤ部２６１は上記のクラウンギヤ部２５６と同じ径であり同じモジュールＭ１である。内周側クラウンギヤ部２６２はモジュールＭ２を有する。
【００３４】
ばね受け座２５３はその一対のスリット２５３ａをプッシュ爪２５１，２５２に嵌合させて取り付けてある。
【００３５】
受けクラウンギヤ２５５はその一対のスリット２５５ａをプッシュ爪２５１，２５２に嵌合させて取り付けてある。
【００３６】
筒状体側クラウンギヤ２６０は筒状体３０の底板部３０ａのＹ２側の面に固定してある。
【００３７】
筒状体３０が取付けねじ３１でシャフト２４のＹ２端に固定された状態で、プッシュ爪２５１，２５２が内周側クラウンギヤ部２６２の歯の谷より若干ずれて歯の斜面に当っている。
【００３８】
操作ノブ２１ａが操作されると、図７（Ａ）、（Ｂ）に示すように、ばね受け部材２８がシャフト２４上をＹ１方向に変位され、プッシュ爪２５１，２５２が内周側クラウンギヤ部２６２をＹ１方向に押す。プッシュ爪２５１，２５２は筒状体側クラウンギヤ２６０をＹ１方向に変位させ、外周側クラウンギヤ部２６１を受けクラウンギヤ２５５から浮かししてかみ合いを解除させると共に、筒状体側クラウンギヤ２６０を操作ノブ２１ａ側から見て時計方向に内周側クラウンギヤ部２６２の約１／３ピッチ分回動させる。Ｄ１＞Ｄ２の関係等によって、外周側クラウンギヤ部２６１は１／２ピッチより少し多く回動され、外周側クラウンギヤ部２６１の歯の山は、受けクラウンギヤ２５５の歯のうちそれまで噛み合っていた谷の隣の山を若干越えた状態となる。
【００３９】
操作ノブ２１ａが復帰される過程において、圧縮コイルばね２７０によって、筒状体側クラウンギヤ２６０はＹ２方向に変位されて戻される。このときに、図７（Ｃ）、（Ｄ）に示すように、外周側クラウンギヤ部２６１の歯の山が受けクラウンギヤ２５５の歯のうちそれまで噛み合っていた谷の隣の谷に滑り込み、筒状体側クラウンギヤ２６０は更に時計方向に回動される。
【００４０】
即ち、操作ノブ２１ａを一回操作する度に、筒状体側クラウンギヤ２６０は外周側クラウンギヤ部２６１の歯の一ピッチ分ステップ回動される。直径Ｄ１、Ｄ２及びモジュールＭ１，Ｍ２はこの動作が行われるように適宜定めてある。
【００４１】
［操作ノブ２１ａを一定のサイクルで操作した場合の操作装置２０の動作］
操作ノブの動作開始ストロークとは、操作ノブの傾動操作を開始してから操作信号が出力されるときまでの操作ノブのストロークをいう。
【００４２】
図８は操作ノブ２１ａの操作のタイミングと操作信号の出力のタイミングとの関係を示す。下向きの矢印Ｏ１、Ｏ２、Ｏ３・・・Ｏｎ、Ｏ（ｎ＋１）、Ｏ（ｎ＋２）・・・が操作を示す。
【００４３】
操作ノブ２１ａを一回操作する度に、筒状体３０は外周側クラウンギヤ部２６１の歯の一ピッチ分ステップ回動される。また、筒状体３０の環状面３０ｃの内周縁３０ｃ１は、軸心３０ｘに対して偏芯している。
【００４４】
よって、図８に示すように、操作ノブ２１ａを操作する都度、動作開始ストロークＳ１，Ｓ２，Ｓ３・・・Ｓｎ、Ｓ（ｎ＋１）、Ｓ（ｎ＋２）・・・が変化し、操作ノブ２１ａを図８に示すようにたとえ一定のサイクル（周期Ｔ）で操作した場合であっても、操作信号は一定のサイクルとはならない。即ち、Ｓ１≠Ｓ２≠Ｓ３、Ｓｎ≠Ｓ（ｎ＋１）≠Ｓ（ｎ＋２）となり、操作信号のピッチはＰ１≠Ｐ２≠Ｐ３、Ｐｎ≠Ｐ（ｎ＋１）≠Ｐ（ｎ＋２）となる。
【００４５】
よって、不正を目的として特殊な機器を使用して操作レバーが意図的に一定のサイクル（リズム）で操作した場合でも、入賞が起きず、不正操作は不可能である。
【００４６】
筒状体３０の環状面３０ｃの内周縁３０ｃ１は軸心３０ｘに対して偏芯しているため、動作開始ストロークＳ１，Ｓ２，Ｓ３・・・Ｓｎ，Ｓ（ｎ＋１）、Ｓ（ｎ＋２）・・・は、Ｓ１＜Ｓ２＜Ｓ３、Ｓｎ＞Ｓ（ｎ＋１）＞Ｓ（ｎ＋２）となり、Ｐ１＜Ｐ２＜Ｐ３、Ｐｎ＞Ｐ（ｎ＋１）＞Ｐ（ｎ＋２）となり、筒状体３０の一回転を周期として略規則的に変化している。よって、遊技者が通常の操作を行った場合に入賞が起きる確率は、従来の操作装置と略同じであり、入賞が起きる確率を特に低くすることにはならず、遊技機器に適用して問題はない。
【実施例２】
【００４７】
図９は本発明の実施例２になる操作装置２０Ａを示す。この操作装置２０Ａは、前記の操作装置２０とは光学的傾動検出機構２００Ａが相違し、他の部分は同じである。
【００４８】
光学的傾動検出機構２００Ａは、遮蔽型であり、図１０に示すように、赤外線発光素子４４と受光素子４５が対向しているフォトカプラ３００を備え、遮蔽板３１０が赤外線発光素子４４と受光素子４５との間に位置して赤外線を遮蔽しており、操作ノブ２１ａを操作すると遮蔽板３１０が上方に移動して、赤外線が受光素子４５に届くようにしたものである。赤外線が受光素子４５に届くと操作信号が発生する。
【００４９】
また、遮蔽板３１０は断面が長方形である形状であり、ステップ回動機構２５０によって図１１に示すように操作ノブ２１ａを操作する都度回動される。遮蔽板３１０の回動位置によって、操作信号が発生するときの遮蔽板３１０の移動距離Ａ１，Ａ２，Ａ３が相違する。
【００５０】
このため、赤外線が受光素子４５に届いて操作信号が発生するときの操作ノブ２１ａの動作開始ストロークが、操作ノブ２１ａを操作する都度変化する。よって、操作ノブ２１ａをたとえ一定のサイクル（周期Ｔ）で操作した場合であっても、操作信号は一定のサイクルとはならない。
【実施例３】
【００５１】
図１２（Ａ）は本発明の実施例２になる操作装置２０Ｂを示す。この操作装置２０Ｂは、実施例１の操作装置２０から筒状体ステップ回動機構２５０を取り除き、その代わりに、筒状体３０が円錐コイルばね３５０でもってシャフト２４の端に固定してある構成である。
【００５２】
操作ノブ２１ａを操作すると、同図（Ｂ）に示すように、筒状体３０が振られて円錐コイルばね３５０が撓まされて振動し、筒状体３０の位置が変化し、操作信号が信号が発生するタイミングが変化する。よって、操作ノブ２１ａをたとえ一定のサイクル（周期Ｔ）で操作した場合であっても、操作信号は一定のサイクルとはならない。また、この操作装置２０Ｂは構成が簡素である。
【実施例４】
【００５３】
図１３（Ａ）は本発明の実施例４になる操作装置２０Ｃを示す。この操作装置２０Ｃは、実施例１の操作装置２０から筒状体ステップ回動機構２５０を取り除き、その代わりに、発光・受光素子モジュール４０の出力側に、ＣＲ積分回路４００及びヒステリシスを有するコンパレータ４０１が直列に接続してある構成である。コンパレータ４０１は閾値ＶＩＨ及びＶＩＬを有する。
【００５４】
モジュール４０からの同図（Ｂ）に示す出力波形ｂは、ＣＲ積分回路４００を経ると同図（Ｃ）に示す出力波形ｃとなり、コンパレータ４０１からは、同図（Ｄ）に示す波形の操作信号ｄが出力される。
【００５５】
遊技者が操作をしている間に、ＣＲ積分回路４００の温度が徐々に上昇する。この温度上昇によってＣＲ積分回路４００の定数が変化して、出力波形ｃのピーク値が変化し、これによって、操作信号ｄの長さが変化する。よって、操作ノブ２１ａをたとえ一定のサイクル（周期Ｔ）で操作した場合であっても、操作信号は一定のサイクルとはならない。また、この操作装置２０Ｃは構成が簡素である。
【図面の簡単な説明】
【００５６】
【図１】本発明の実施例１になる操作装置を示す図である。
【図２】図１の操作装置の構造を示す図である。
【図３】図２の操作装置を分解して示す図である。
【図４】筒状体ステップ回動機構を分解して示す斜視図である。
【図５】光学的傾動検出機構を分解して示す斜視図である。
【図６】図１の操作装置を操作したときの状態を示す図である。
【図７】図１の操作装置を操作したときの筒状体ステップ回動機構の動作を示す図である。
【図８】操作ノブを一定のサイクルで操作した場合の操作信号の発生状況を説明するための図である。
【図９】本発明の実施例２になる操作装置を示す図である。
【図１０】光学的傾動検出機構を分解して示す斜視図である。
【図１１】遮蔽板の回動姿勢と操作信号が発生するときの遮蔽板の移動距離との関係を示す図である。
【図１２】本発明の実施例２になる操作装置を示す図である。
【図１３】本発明の実施例３になる操作装置を示す図である。
【符号の説明】
【００５７】
１０  遊技機械
２０、２０Ａ、２０Ｂ、２０Ｃ  操作装置
２２  本体
２４  シャフト
２９  圧縮コイルばね
３０  筒状体
３０ｃ  環状面
４４  発光素子
４５  受光素子
１００  操作ノブ支持機構
１５０  操作ノブ復帰機構
２００、２００Ａ  光学的傾動方向検出機構
２５０  筒状体ステップ回動機構
２５１、２５２  プッシュ爪
２５５  受けクラウンギヤ
２５６  クラウンギヤ部
２６０  筒状体側クラウンギヤ
２６１  外周側のクラウンギヤ部
２６２  内周側のクラウンギヤ部
３００  フォトカプラ
３１０  遮蔽板
３５０  円錐コイルばね
４００  ＣＲ積分回路
４０１  コンパレータ
【図１】
2006223368.tif 000003
【図２】
2006223368.tif 000004
【図３】
2006223368.tif 000005
【図４】
2006223368.tif 000006
【図５】
2006223368.tif 000007
【図６】
2006223368.tif 000008
【図７】
2006223368.tif 000009
【図８】
2006223368.tif 000010
【図９】
2006223368.tif 000011
【図１０】
2006223368.tif 000012
【図１１】
2006223368.tif 000013
【図１２】
2006223368.tif 000014
【図１３】
2006223368.tif 000015